【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
中綴じ折りされた用紙束を、折り目を先頭にして、折り目と直交する方向に搬送する搬送手段と、
用紙束の搬送路の上側と下側に対向配置され、用紙束の折り目の長さ方向全体にわたって形成された一対のプレス面と、
前記プレス面の少なくとも一方と弾性部材を介して接続された加圧部材と、
クランク機構を通してこの加圧部材に往復運動させるように駆動連結された回転駆動源と、
を有し、
このクランク機構によって加圧部材が待機位置から所定範囲を一往復動作して待機位置に戻ることによって、一対のプレス面同士が近接して用紙束の折り目を所定の時間挟持した後、プレス面同士が離間して用紙束を解放するとともに、用紙束の折り目を挟持している間は、加圧部材とプレス面との相対位置が変化することにより、弾性部材の弾性力が加圧部材の往動時には増加し、復動時には減少してプレス面の挟持圧を変化させるように構成された増し折り装置において、
用紙束の折り目が一対のプレス面の間に位置するように用紙束をいったん停止させた後、前記回転駆動源を少なくとも連続的に１回転駆動させ、その後用紙束の搬送を再開させるように前記搬送手段と回転駆動源とを制御する制御手段を有することを特徴とする増し折り装置。
【請求項２】
用紙束の折り目を前記プレス面で挟持加圧するプレス回数Ｐを決定するとともに、用紙束が前記プレス面の間に停止している間に、前記回転駆動源をＰ回転させることによって、Ｐ回のプレスを行うように制御するプレス回数制御手段を有することを特徴とする請求項１記載の増し折り装置。
【請求項３】
連続して用紙束が１部ずつ搬送されてくる場合に、用紙束の折り目が前記プレス面の間に停止して、前記プレス回数制御手段により決定されたプレス回数分のプレスを行い、その後搬送開始するまでの間に、次に搬送されてくる用紙束がプレス面間に進入しないように、用紙束が搬送されてくる間隔を算出する第１の間隔算出手段を有し、この第１の間隔算出手段によって算出した間隔で用紙束が搬送されてくるように、単位時間に搬入される用紙束の数を決定することを特徴とする請求項２記載の増し折り装置。
【請求項４】
前記プレス回数制御手段は、用紙束が所定の間隔で１部ずつ搬送されてくる場合に、先行する用紙束の先端が装置内の所定の箇所を通過してから、次の用紙束の先端が該箇所を通過するまでの間隔の間に、用紙束の折り目がプレス面間で停止可能な時間と、その時間の間に可能なさプレスの最大回数を算出し、プレス回数をその回数に決定することを特徴とする請求項２記載の増し折り装置。
【請求項５】
前記プレス回数制御手段は、ユーザが入力した入力情報に基づいてプレス回数を決定することを特徴とする請求項２ないし４いずれかに記載の増し折り装置。
【請求項６】
前記プレス回数制御手段は、プレスする用紙束の枚数情報に基づいて、枚数が多いほどプレス回数が多くなるようにプレス回数を決定することを特徴とする請求項２ないし４いずれかに記載の増し折り装置。
【請求項７】
前記プレス面を含んで用紙束を搬送するための駆動及び停止を一体的に制御可能なプレス搬送区間と、このプレス搬送区間の駆動及び停止を制御する搬送制御手段を有し、
この搬送制御手段は、用紙束の先端がプレス搬送区間に入ってから、プレス面間で停止してプレスされ、再び搬送開始されるまでの間は、次の用紙束がプレス搬送区間に入らないように制御することを特徴とする請求項１ないし６いずれかに記載の増し折り装置。
【請求項８】
搬入した用紙束を揃えて、その搬送方向中央部を綴じる揃え綴じ部と、
揃え綴じ部の下流側に設けられ、用紙束を二つ折りする折り部と、
この折り部の下流側に請求項１ないし７いずれかに記載の増し折り装置が設けられており、前記折り部で二つ折りされた用紙束を前記搬送手段で搬送し、前記プレス板間に導くことを特徴とする中綴じ折り装置。
【請求項９】
搬入した用紙束を揃えて、その搬送方向中央部を綴じる揃え綴じ部と、
揃え綴じ部の下流側に設けられ、用紙束を二つ折りする折り部と、
この折り部の下流側に請求項３記載の増し折り装置が設けられており、前記折り部で二つ折りされた用紙束を前記搬送手段で搬送し、前記プレス板間に導くことを特徴とする中綴じ折り装置において、
前記揃え綴じ部は、停止した用紙束の端縁に当接するジョグ動作を行って用紙束の端縁を揃える揃え部材を含み、この揃え部材が用紙束の端縁に当接するジョグ回数を決定し、決定したジョグ回数だけ当接を行いように揃え部材を制御するジョグ回数制御手段を有し、
連続して用紙束が1部ずつ搬送されてくる場合に、用紙束が揃え綴じ部に停止して、前記ジョグ回数制御手段により決定されたジョグ回数分のジョグを行い、その後搬送開始するまでの間に、次に搬送されてくる用紙束が揃え綴じ部に進入しないように、用紙束が搬送されてくる間隔を算出する第２の間隔算出手段を有し、
前記第１の間隔算出手段により算出した間隔と第２の間隔算出手段により算出した間隔のうち、いずれか長い方の間隔で用紙束が搬送されてくるように、単位時間に搬入される用紙束の数を決定することを特徴とする中綴じ折り装置。
【請求項１０】
搬入した用紙束を揃えて、その搬送方向中央部を綴じる揃え綴じ部と、
揃え綴じ部の下流側に設けられ、用紙束を二つ折りする折り部と、
この折り部の下流側に請求項３記載の増し折り装置が設けられており、前記折り部で二つ折りされた用紙束を前記搬送手段で搬送し、前記プレス板間に導くことを特徴とする中綴じ折り装置において、
前記第１の間隔算出手段によって算出した間隔の間に、用紙束が揃え綴じ部で停止可能な時間と、その時間の間に可能なさジョグの最大回数を算出し、ジョグ回数をその回数に決定するジョグ回数制御手段を有することを特徴とする中綴じ折り装置。
【請求項１１】
搬入した用紙束を揃えて、その搬送方向中央部を綴じる揃え綴じ部と、
揃え綴じ部の下流側に設けられ、用紙束を二つ折りする折り部と、
この折り部の下流側に請求項２に記載の増し折り装置が設けられており、前記折り部で二つ折りされた用紙束を前記搬送手段で搬送し、前記プレス板間に導くことを特徴とする中綴じ折り装置において、
前記揃え綴じ部は、停止した用紙束の端縁に当接するジョグ動作を行って用紙束の端縁を揃える揃え部材を含み、この揃え部材が用紙束の端縁に当接するジョグ回数を決定し、決定したジョグ回数だけ当接を行いように揃え部材を制御するジョグ回数制御手段を有し、
連続して用紙束が1部ずつ搬送されてくる場合に、用紙束が揃え綴じ部に停止して、前記ジョグ回数制御手段により決定されたジョグ回数分のジョグを行い、その後搬送開始するまでの間に、次に搬送されてくる用紙束が揃え綴じ部に進入しないように、用紙束が搬送されてくる間隔を算出する第２の間隔算出手段を有し、
前記プレス回数制御手段は、前記第２の間隔算出手段によって算出した間隔の間に、用紙束の折り目がプレス面間で停止可能な時間と、その時間の間に可能なさプレスの最大回数を算出し、プレス回数をその回数に決定することを特徴とする中綴じ折り装置。
【請求項１２】
中綴じ折りされた用紙束を、折り目を先頭にして、折り目と直交する方向に搬送する工程と、
用紙束の搬送路の上側と下側に対向配置され、用紙束の折り目の長さ方向全体にわたって形成された一対のプレス面の間に折り目が来るように、用紙束を停止させる工程と、
一対のプレス面同士を近接させて用紙束の折り目を挟持する工程と、
一対のプレス面同士で用紙束の折り目を挟持した状態で、挟持圧を増加させる工程と、
一対のプレス面動詞で用紙束の折り目を挟持した状態で、挟持圧を減少させる工程と、
一対のプレス面同士を離間させて用紙束の折り目を解放する工程と、
解放された用紙束の搬送を再開する工程と、
を経ることを特徴とする増し折り方法。
【請求項１３】
中綴じ折りされた用紙束を、折り目を先頭にして、折り目と直交する方向に搬送する工程と、
用紙束の搬送路の上側と下側に対向配置され、用紙束の折り目の長さ方向全体にわたって形成された一対のプレス面の間に折り目が来るように、用紙束を停止させる工程と、
回転駆動源を回転させ、クランク機構を介して加圧部材を待機位置から一方向に移動させ、加圧部材に弾性部材を介して連結されたプレス面を加圧部材とともに一方向に移動させることにより、一対のプレス面同士を近接させて用紙束の折り目を挟持する工程と、
回転駆動源をさらに同方向に継続して回転させ、一対のプレス面同士で用紙束の折り目を挟持した状態で、クランク機構を介して加圧部材をなおも一方向に移動させることにより、弾性部材の弾性力を挟持圧として作用させながら、該挟持圧を増加させる工程と、
回転駆動源をさらに同方向に継続して回転させ、一対のプレス面同士で用紙束の折り目を挟持した状態で、クランク機構を介して加圧部材を他方向に移動させることにより、弾性部材の弾性力を挟持圧として作用させながら、該挟持圧を減少させる工程と、
回転駆動源をさらに同方向に継続して回転させ、クランク機構を介して加圧部材をなおも他方向に移動させることにより、一対のプレス面同士を離間させて用紙束の折り目を挟持から解放する工程と、
一対のプレス面動詞で用紙束の折り目を挟持した状態で、挟持圧を減少させる工程と、
一対のプレス面同士を離間させて用紙束の折り目を解放する工程と、
解放された用紙束の搬送を再開する工程と、
を経ることを特徴とする増し折り方法。
【手続補正２】
【補正対象書類名】明細書
【補正対象項目名】００１２
【補正方法】変更
【補正の内容】
【００１２】
上記課題を解決するための、本発明の第１の態様は、中綴じ折りされた用紙束を、折り目を先頭にして、折り目と直交する方向に搬送する搬送手段と、用紙束の搬送路の上側と下側に対向配置され、用紙束の折り目の長さ方向全体にわたって形成された一対のプレス面と、前記プレス面の少なくとも一方と弾性部材を介して接続された加圧部材と、クランク機構を通してこの加圧部材に往復運動させるように駆動連結された回転駆動源と、を有し、このクランク機構によって加圧部材が待機位置から所定範囲を一往復動作して待機位置に戻ることによって、一対のプレス面同士が近接して用紙束の折り目を所定の時間挟持した後、プレス面同士が離間して用紙束を解放するとともに、用紙束の折り目を挟持している間は、加圧部材とプレス面との相対位置が変化することにより、弾性部材の弾性力が加圧部材の往動時には増加し、復動時には減少してプレス面の挟持圧を変化させるように構成された増し折り装置において、用紙束の折り目が一対のプレス面の間に位置するように用紙束をいったん停止させた後、前記回転駆動源を少なくとも連続的に１回転駆動させ、その後用紙束の搬送を再開させるように前記搬送手段と回転駆動源とを制御する制御手段を有することを特徴とする増し折り装置である。
この第１の態様によれば、用紙束の折り目を表裏から挟んでプレス圧をかけている間、継続して加圧することができるとともに、回転駆動軸の１回転というきわめて簡単かつ迅速な駆動動作で一連のプレス動作を行うことができるので、短時間で折り目を十分に強化することができる。
【手続補正３】
【補正対象書類名】明細書
【補正対象項目名】００１３
【補正方法】変更
【補正の内容】
【００１３】
本発明の第２の態様は、第１の態様に加えて、用紙束の折り目を前記プレス面で挟持加圧するプレス回数Ｐを決定するとともに、用紙束が前記プレス面の間に停止している間に、前記回転駆動源をＰ回転させることによって、Ｐ回のプレスを行うように制御するプレス回数制御手段を有していてもよい。
この第２の態様によれば、必要に応じプレスを複数回行うことが可能であり、用紙束が多枚数の場合なども、相応の回数プレスを行うことにより、確実に折り目を強化することができるとともに、回転駆動軸の回転を継続させるという短時間かつ簡単な動作で、プレスを繰り返すことができる。
【手続補正４】
【補正対象書類名】明細書
【補正対象項目名】００１４
【補正方法】変更
【補正の内容】
【００１４】
本発明の第３の態様は、第２の態様に加えて、連続して用紙束が１部ずつ搬送されてくる場合に、用紙束の折り目が前記プレス面の間に停止して、前記プレス回数制御手段により決定されたプレス回数分のプレスを行い、その後搬送開始するまでの間に、次に搬送されてくる用紙束がプレス面間に進入しないように、用紙束が搬送されてくる間隔を算出する第１の間隔算出手段を有し、この第１の間隔算出手段によって算出した間隔で用紙束が搬送されてくるように、単位時間に搬入される用紙束の数を決定することを特徴とする。
この第３の態様によれば、用紙束１部について決定されたプレス回数分のプレス動作にかかる時間が、連続して１部ずつ搬入されてくる用紙束間の時間間隔以下に収まるように、単位時間あたりに搬入される用紙束数が自動設定されるので、プレス部で停止中の用紙束に後続の用紙束が衝突して紙詰まりを起こすことが無い。
【手続補正５】
【補正対象書類名】明細書
【補正対象項目名】００１５
【補正方法】変更
【補正の内容】
【００１５】
本発明の第４の態様は、第２の態様におけるプレス回数制御手段は、用紙束が所定の間隔で１部ずつ搬送されてくる場合に、先行する用紙束の先端が装置内の所定の箇所を通過してから、次の用紙束の先端が該箇所を通過するまでの間隔の間に、用紙束の折り目がプレス面間で停止可能な時間と、その時間の間に可能なさプレスの最大回数を算出し、プレス回数をその回数に決定することを特徴とする。
この第４の態様によれば、プレス動作にかかる時間が、連続して１部ずつ搬入されてくる用紙束間の時間間隔以下に収まるように、自動的にプレス回数を決定することができる。従って、単位時間当たりの用紙束数を設定または選択するか、もしくはデフォルト値を適用するだけで、プレス回数の設定作業等をともなうことなく、その時間間隔内で可能な限り多数回のプレス回数が決定されるので、使い勝手が良い装置が得られる。
【手続補正６】
【補正対象書類名】明細書
【補正対象項目名】００１６
【補正方法】変更
【補正の内容】
【００１６】
本発明の第５の態様は、第２ないし第４いずれかの態様におけるプレス回数制御手段が、ユーザが入力した入力情報に基づいてプレス回数を決定することを特徴とする。この第５の態様によれば、プレス回数をユーザが入力することができるから、用紙の紙質や枚数に応じて、適切なプレス回数をユーザが選択することができる。
【手続補正７】
【補正対象書類名】明細書
【補正対象項目名】００１７
【補正方法】変更
【補正の内容】
【００１７】
本発明の第６の態様は、第２ないし第４の態様におけるプレス回数制御手段は、プレスする用紙束の枚数情報に基づいて、枚数が多いほどプレス回数が多くなるようにプレス回数を決定することを特徴とする。用紙束の枚数が多いほど、折り曲げた後に開こうとする力が強くなるので、多数回プレスを行うことが望ましい。この第６の態様によれば、用紙束の枚数に応じ、折り目を十分強化するのに必要なプレス回数が選択されるので、使い勝手が良い装置が得られる。
【手続補正８】
【補正対象書類名】明細書
【補正対象項目名】００１８
【補正方法】変更
【補正の内容】
【００１８】
本発明の第７の態様は、第１ないし第６いずれかの態様におけるプレス面を含んで用紙束を搬送するための駆動及び停止を一体的に制御可能なプレス搬送区間と、このプレス搬送区間の駆動及び停止を制御する搬送制御手段を有し、この搬送制御手段は、用紙束の先端がプレス搬送区間に入ってから、プレス面間で停止してプレスされ、再び搬送開始されるまでの間は、次の用紙束がプレス搬送区間に入らないように制御することを特徴とする。
この第７の態様によれば、先行する用紙束が停止してプレス処理している間に、停止しているプレス搬送区間に次の用紙束が突っ込んで紙詰まりを起こしたりすることがなく、スムーズに搬送することができる。
【手続補正９】
【補正対象書類名】明細書
【補正対象項目名】００１９
【補正方法】変更
【補正の内容】
【００１９】
本発明の第８の態様は、搬入した用紙束を揃えて、その搬送方向中央部を綴じる揃え綴じ部と、揃え綴じ部の下流側に設けられ、用紙束を二つ折りする折り部と、この折り部の下流側に第１ないし第７いずれかの態様の増し折り装置が設けられており、前記折り部で二つ折りされた用紙束を前記搬送手段で搬送し、前記プレス板間に導くことを特徴とする中綴じ折り装置である。
【手続補正１０】
【補正対象書類名】明細書
【補正対象項目名】００２０
【補正方法】変更
【補正の内容】
【００２０】
本発明の第９の態様は、搬入した用紙束を揃えて、その搬送方向中央部を綴じる揃え綴じ部と、揃え綴じ部の下流側に設けられ、用紙束を二つ折りする折り部と、この折り部の下流側に前記第３の態様の増し折り装置が設けられており、前記折り部で二つ折りされた用紙束を前記搬送手段で搬送し、前記プレス板間に導くことを特徴とする中綴じ折り装置において、前記揃え綴じ部は、停止した用紙束の端縁に当接するジョグ動作を行って用紙束の端縁を揃える揃え部材を含み、この揃え部材が用紙束の端縁に当接するジョグ回数を決定し、決定したジョグ回数だけ当接を行いように揃え部材を制御するジョグ回数制御手段を有し、連続して用紙束が1部ずつ搬送されてくる場合に、用紙束が揃え綴じ部に停止して、前記ジョグ回数制御手段により決定されたジョグ回数分のジョグを行い、その後搬送開始するまでの間に、次に搬送されてくる用紙束が揃え綴じ部に進入しないように、用紙束が搬送されてくる間隔を算出する第２の間隔算出手段を有し、前記第１の間隔算出手段により算出した間隔と第２の間隔算出手段により算出した間隔のうち、いずれか長い方の間隔で用紙束が搬送されてくるように、単位時間に搬入される用紙束の数を決定することを特徴とする中綴じ折り装置である。
この第９の態様によれば、用紙束１部について決定されたプレス回数分のプレス動作にかかる時間か、用紙束１部について決定されたジョグ回数分のジョグ動作にかかる時間か、いずれか長い方の時間が、連続して１部ずつ搬入されてくる用紙束間の時間間隔以下に収まるように、単位時間あたりに搬入される用紙束数が自動設定されるので、プレス部でも揃え綴じ部でも、停止中の用紙束に後続の用紙束が衝突して紙詰まりを起こすことが無い。
【手続補正１１】
【補正対象書類名】明細書
【補正対象項目名】００２１
【補正方法】変更
【補正の内容】
【００２１】
本発明の第１０の態様は、搬入した用紙束を揃えて、その搬送方向中央部を綴じる揃え綴じ部と、揃え綴じ部の下流側に設けられ、用紙束を二つ折りする折り部と、この折り部の下流側に前記第３の態様の増し折り装置が設けられており、前記折り部で二つ折りされた用紙束を前記搬送手段で搬送し、前記プレス板間に導くことを特徴とする中綴じ折り装置において、前記第１の間隔算出手段によって算出した間隔の間に、用紙束が揃え綴じ部で停止可能な時間と、その時間の間に可能なさジョグの最大回数を算出し、ジョグ回数をその回数に決定するジョグ回数制御手段を有することを特徴とする中綴じ折り装置である。
この第１０の態様によれば、プレス回数を決定すると、その回数だけプレスを行うことが可能なように、単位時間当たりに搬入される用紙束数が決まる。さらにその条件下で揃え綴じ部で停止可能な間に可能な回数だけジョグを行うことができる。したがって、プレス回数が多いほどジョグ回数も多くなる。用紙束の枚数が多くなるほど、用紙束の端縁は揃いにくくなり、多数回のジョグが望ましくなるから、多枚数の用紙束に対して多数回のプレスで折り目を強化すれば、自ずと揃え綴じ部での揃いも良好になる中綴じ折り機が得られる。
【手続補正１２】
【補正対象書類名】明細書
【補正対象項目名】００２２
【補正方法】変更
【補正の内容】
【００２２】
本発明の第１１の態様は、搬入した用紙束を揃えて、その搬送方向中央部を綴じる揃え綴じ部と、揃え綴じ部の下流側に設けられ、用紙束を二つ折りする折り部と、この折り部の下流側に第２の態様の増し折り装置が設けられており、前記折り部で二つ折りされた用紙束を前記搬送手段で搬送し、前記プレス板間に導くことを特徴とする中綴じ折り装置において、前記揃え綴じ部は、停止した用紙束の端縁に当接するジョグ動作を行って用紙束の端縁を揃える揃え部材を含み、この揃え部材が用紙束の端縁に当接するジョグ回数を決定し、決定したジョグ回数だけ当接を行いように揃え部材を制御するジョグ回数制御手段を有し、連続して用紙束が1部ずつ搬送されてくる場合に、用紙束が揃え綴じ部に停止して、前記ジョグ回数制御手段により決定されたジョグ回数分のジョグを行い、その後搬送開始するまでの間に、次に搬送されてくる用紙束が揃え綴じ部に進入しないように、用紙束が搬送されてくる間隔を算出する第２の間隔算出手段を有し、前記プレス回数制御手段は、前記第２の間隔算出手段によって算出した間隔の間に、用紙束の折り目がプレス面間で停止可能な時間と、その時間の間に可能なさプレスの最大回数を算出し、プレス回数をその回数に決定することを特徴とする中綴じ折り装置である。
この第１１の態様によれば、ジョグ回数を決定すると、その回数だけジョグを行うことが可能なように、単位時間当たりに搬入される用紙束数が決まる。さらにその条件下でプレス部で停止可能な間に可能な回数だけプレスを行うことができる。したがって、ジョグ回数が多いほどプレス回数も多くなる。用紙束の枚数が多くなるほど、用紙束の端縁は揃いにくくなるから、多数回のジョグが必要になる可能性が高く、そうするとプレス回数も多くなるから、揃いが良好になるとともに折目が強化された冊子が得られる。
【手続補正１３】
【補正対象書類名】明細書
【補正対象項目名】００２３
【補正方法】変更
【補正の内容】
【００２３】
本発明の第１２の態様は、中綴じ折りされた用紙束を、折り目を先頭にして、折り目と直交する方向に搬送する工程と、用紙束の搬送路の上側と下側に対向配置され、用紙束の折り目の長さ方向全体にわたって形成された一対のプレス面の間に折り目が来るように、用紙束を停止させる工程と、一対のプレス面同士を近接させて用紙束の折り目を挟持する工程と、一対のプレス面同士で用紙束の折り目を挟持した状態で、挟持圧を増加させる工程と、一対のプレス面動詞で用紙束の折り目を挟持した状態で、挟持圧を減少させる工程と、一対のプレス面同士を離間させて用紙束の折り目を解放する工程と、解放された用紙束の搬送を再開する工程と、を経ることを特徴とする増し折り方法である。
【手続補正１４】
【補正対象書類名】明細書
【補正対象項目名】００２４
【補正方法】変更
【補正の内容】
【００２４】
本発明の第１３の態様は、中綴じ折りされた用紙束を、折り目を先頭にして、折り目と直交する方向に搬送する工程と、用紙束の搬送路の上側と下側に対向配置され、用紙束の折り目の長さ方向全体にわたって形成された一対のプレス面の間に折り目が来るように、用紙束を停止させる工程と、回転駆動源を回転させ、クランク機構を介して加圧部材を待機位置から一方向に移動させ、加圧部材に弾性部材を介して連結されたプレス面を加圧部材とともに一方向に移動させることにより、一対のプレス面同士を近接させて用紙束の折り目を挟持する工程と、回転駆動源をさらに同方向に継続して回転させ、一対のプレス面同士で用紙束の折り目を挟持した状態で、クランク機構を介して加圧部材をなおも一方向に移動させることにより、弾性部材の弾性力を挟持圧として作用させながら、該挟持圧を増加させる工程と、回転駆動源をさらに同方向に継続して回転させ、一対のプレス面同士で用紙束の折り目を挟持した状態で、クランク機構を介して加圧部材を他方向に移動させることにより、弾性部材の弾性力を挟持圧として作用させながら、該挟持圧を減少させる工程と、回転駆動源をさらに同方向に継続して回転させ、クランク機構を介して加圧部材をなおも他方向に移動させることにより、一対のプレス面同士を離間させて用紙束の折り目を挟持から解放する工程と、一対のプレス面動詞で用紙束の折り目を挟持した状態で、挟持圧を減少させる工程と、一対のプレス面同士を離間させて用紙束の折り目を解放する工程と、解放された用紙束の搬送を再開する工程と、を経ることを特徴とする増し折り方法である。
【手続補正１５】
【補正対象書類名】明細書
【補正対象項目名】００２５
【補正方法】変更
【補正の内容】
【００２５】
本発明によれば、枚数が多い中綴じ冊子の折り目を、短時間で十分に強化することができる中綴じ折装置が得られるという効果がある。
【手続補正１６】
【補正対象書類名】明細書
【補正対象項目名】発明の名称
【補正方法】変更
【補正の内容】
【発明の名称】増し折り装置及び中綴じ折り装置、並びに増し折り方法